(57)【要約】【課題】  大きな口径の花瓶に、少量の花束でも花立てできるように、それぞれの花束に応じた口径をつくりだす、花瓶の口径変換具を提供します。【解決手段】  ドーナツ状の弾性体の一部を切断し、切断か所の端部同士を係合できるようにし、かつ、係合位置を変えての（口径を変化させての）係合もできる係合装置を構成し、前記ドーナツ状弾性体の体部周辺にわたって造花を多数取付け、前記造花部を花瓶の口縁部上に接して置くことで前記ドーナツ状体の支持部とし、前記ドーナツ状体の中空部に花束を挿通させて、花瓶の口径変換具とします。【選択図】図８
2017055918.tif 000002
【特許請求の範囲】
【請求項１】
図１の如く、花瓶と共に使用する立体物であり、花束を挿通する貫通孔を少なくとも１つ以上設けた立体物であり、花瓶の水に浮いて使用する立体物である、花瓶の口径変換具。
【請求項２】
図２の如く、花瓶と共に使用する立体物であり、花束を挿通する貫通孔を少なくとも１つ以上設けた立体物であり、流した水を集めるため、前記貫通孔付近を周囲より低く形成した立体物である、花瓶の口径変換具。
【請求項３】
図３の如く、花瓶と共に使用する立体物であり、花束を挿通する貫通孔を少なくとも１つ以上設けた立体物であり、前記立体物と花瓶の内周部の間に係止関係がある立体物である、花瓶の口径変換具。
【請求項４】
図４の如く、花瓶と共に使用する立体物であり、花瓶の口部全部にかぶさる形状の立体物であり、前記かぶさる形状の上部に花束を挿通する挿花孔を設けた立体物であり、前記挿花孔の上部が末広がりのテーパ状の立ち上がり形状をもつ立体物である、花瓶の口径変換具。
【請求項５】
図５の如く、花瓶の水中で使用される立体物であり、前記立体物が長軸と短軸を持つ略楕円体又は略楕円形である立体物であり、前記長軸に対して花束を挿通する貫通孔を前記長軸の中央付近に直交して少なくとも１つ以上設けた立体物である、花瓶の口径変換具。
【請求項６】
図６の如く、花瓶と共に使用する立体物であり、花束を挿通するための挿花孔をもつ立体物であり、前記挿花孔は弾性体から成るリングの一部を切断したリング状弾性体の内側中空で形成される立体物であり、前記リング状弾性体に花瓶の口縁部で係止する棒状の支持体を複数取付けた立体物である、花瓶の口径変換具。
【請求項７】
図７の如く、花瓶と共に使用する立体物であり、花束を挿通するための挿花孔をもつ立体物であり、前記挿花孔はリングの一部を切断したリング状体の内側中空で形成される立体物であり、前記リング状体の切断端部付近と、もう一方の切断端部付近を係合する係合装置を設け、かつ前記係合の位置が複数構成されたリング状体の立体物であり、前記リング状体の体部に横方向に張り出して花瓶の口縁部で支持される棒状体を複数取付けた立体物である、花瓶の口径変換具。
【請求項８】
図８の如く、請求項７に記載の、「前記リング状体の体部に横方向に張り出して花瓶の口縁部で支持される棒状体を複数取付けた立体物である」を、「前記リング状体の体部に横方向に張り出して花瓶の口縁部で支持される動植物や自然物をデザインした造形物を多数取付けた立体物である」に代えた、花瓶の口径変換具。
【請求項９】
図９の如く、花瓶と共に使用する立体物であり、花束を挿通するための挿花孔をもつ立体物であり、前記挿花孔は環状体の内側中空で形成される立体物であり、前記環状体の体部に花瓶の口縁部で支持するための支持棒を前記環状体の相対する位置２か所に取付けた立体物であり、前記支持棒は花瓶の口縁部に置いて支持される時に楕円形の長軸を縦にして置くような不安定で倒れる力が働く形状であることを特徴とする立体物である、花瓶の口径変換具。
【請求項１０】
図１０の如く、花瓶と共に使用する立体物であり、花束を挿通する貫通孔を設けた立体物であり、前記貫通孔はドーナツ形状体の中空を使用する立体物であり、前記ドーナツ形状体の外径が別のドーナツ形状体の中空部たる内径に嵌合する関係をもつ立体物であり、前記嵌合関係が成り立つ複数個のドーナツ形状体から成る立体物である、花瓶の口径変換具。
【請求項１１】
図１１から図１４の如く、花瓶の口縁部の蓋であり、前記蓋の中央付近に花束を挿通するための挿花孔を開け、前記蓋の表側か裏側、又はその両方に、前記花瓶の底部と、係止又は嵌合する係合関係の形状を形成した前記花瓶の蓋である、花瓶の口径変換具。
【請求項１２】
図１５の如く、花瓶と共に使用する立体物であり、花束を挿通する孔を設けた立体物であり、前記孔はボルト締めなどに使用されるワッシャーのような、ワッシャー形状体の中央中空部の孔であり、前記ワッシャー形状体は丸形のほか楕円形や四角形等があり、平坦形状のほか皿形状等がある立体物であり  前記ワッシャー形状体を着脱自在に取付けた立体物である、花瓶の口径変換具。
【発明の詳細な説明】
【技術分野】
【０００１】
本発明は、口部の広い花瓶に、花束の径（茎の集合部の太さ）が小さいものを、花立て（花を生ける）するとバラバラになってしまう事に対応するための、花瓶の口径の変換具に関するものです。
【背景技術】
【０００２】
従来は、花（茎）を挿通する小さな区切り空間を集合させて、花束の大小に対応する考え方が主流のようですが、本発明は花を挿通する口径自体を変化させようとするものです。
【先行技術文献】
【特許文献】
【０００３】
【特許文献１】特開２００４−１４７７３1
【特許文献２】特開２００４−２４２９６２
【特許文献３】特開２０１１−１３９８７８
【特許文献４】特開２０１４−０７６２２０
【特許文献５】実登３１６８２９１
【発明の概要】
【発明が解決しようとする課題】
【０００４】
大きな口径の花瓶に、少量の花束を花立てすると、バラバラになってしまってまとめにくいものですが、少なくとも１つ以上、花瓶の口径よりも小さい口径を作りだせる、花瓶の口径変換具を提供します。
【課題を解決するための手段】
【０００５】
花束を挿通させる立体物に、１つ以上の貫通孔を設け、又は、前記貫通孔を斜めにして花瓶に設置することで、前記貫通孔の口径を事実上小さくするなどの方法で、少量の花束をまとめ良く花瓶に花立てをします。
【発明の効果】
【０００６】
花束を通す貫通孔を傾斜させることにより、その花束の太さに応じた口径を形成することができ、あるいは、複数の貫通孔から花束の太さの適合しやすい貫通孔を選択でき、まとめ良く花瓶の花立ができます。
【図面の簡単な説明】
【０００７】
【図１】口径変換具（１Ａ）の斜視図、使用断面図
【図２】口径変換具（１Ｂ）の斜視図、使用断面図
【図３】口径変換具（１Ｃ）の斜視図、使用断面図
【図４】口径変換具（１Ｄ）の斜視図、使用断面図
【図５】口径変換具（１Ｅ）の斜視図、使用断面図
【図６】口径変換具（１Ｆ）の斜視図、使用断面図
【図７】口径変換具（１Ｇ）の正・平面図、拡大図
【図８】口径変換具（１Ｈ）の正・平面図、拡大図
【図９】口径変換具（１Ｊ）の正・平面図、使用図
【図１０】口径変換具（１Ｋ）の斜視図、使用断面図
【図１１】口径変換具（１Ｌ）の断面図
【図１２】口径変換具（１Ｍ）の断面図
【図１３】口径変換具（１Ｎ）の断面図
【図１４】口径変換具（１Ｐ）の断面図
【図１５】口径変換具（１Ｑ）の断面図
【発明を実施するための形態】
【０００８】
以下、本発明の、実施の形態を図に基づいて説明します。
【０００９】
図１の、花瓶の口径変換具（１A）は、円筒形の形状体であって、軸方向の中空部は花束を挿通する挿花孔（２ａ）として利用します。  前記円筒形の外周部で軸方向の中央部付近の２か所に穴を開け、前記中空部を突切り、前記外周部の反対側にまで達する口径の異なる貫通孔を設け、前記貫通孔を花束を挿通する挿花孔（２ｂ、２ｃ）とします。  ３つの挿花孔（２ａ，２ｂ，２ｃ）はそれぞれ口径が異なり、挿通させる花束の径に応じて選択できるようにしています。  この口径変換具は、水に浮くように素材等が考慮され、花瓶（３）で水に浮いた状態で使用されます。  使用する時は、花束に応じた口径を、前記挿花孔の３つから選択して挿通し、花瓶に花立てします。、
【００１０】
前記口径変換具の形状は、円柱形、多角柱形、球形、白鳥などをかたどった動植物形など、多くの立体物で、１つ以上の貫通孔を形成できます。  また、前記口径変換具の軸方向の長さを前記花瓶の口径の長さより長くすれば、前記花瓶の口縁部上においての使用も可能になります。  前記口径変換具の円筒部分が網状の形状は、より軽量化に貢献します。
【００１１】
図２の口径変換具（１Ｂ）は略四角柱の形状で、軸方向に平行する面と、前記面に直交する面の２方向から径の異なる貫通孔である挿花孔（２ａ、２ｂ）が設けてあります。  花瓶（３）の口縁部（６）上に載せたかたちで使用しますが、略四角柱の各辺が少し湾曲しているのは、花への水遣りの時に、こぼれるのを防ぐため、前記挿花孔に向かって周辺が傾斜しています。  花束の径により、２つの前記挿花孔から選択して前記花瓶の口縁部上に設置して、口径変換します。
【００１２】
図３の口径変換具（１Ｃ）は、立方体の形状で、それぞれ直交する３方向から大中小の口径の異なる貫通孔である挿花孔（２ａ、２ｂ、２ｃ）が設けてあります。  花瓶（３）には、前記口径変換具を係止するための突起状の係止部（８）を、前記花瓶の内周面に１つ以上構成します。  花束の花立てをする時は、前記挿通孔の口径の異なる３つから選択して花束を挿通し、前記花瓶の前記係止部にて係止させて使用します。
【００１３】
前記口径変換具の形状は球体や多面体であってもよく、また、花瓶の内側で前記係止させて使用するという観点からは、図１の口径変換具（１Ａ）、図２の口径変換具（１Ｂ）、のような形状もあり得ます。  下の口径が小さく、上が大きい上広がりの形状の花瓶にあっては、小さい径へ変化していくことが係止部となるので、特に係止部を構成する必要がありません。  前記口径変換具の形状の径を、前記花瓶の口縁部の径より大きくすれば、口縁部上に置いて使用できます。  また、水に浮く材質では、前記係止部を構成する必要はなく、前記花瓶の水に浮かべて使用できます
【００１４】
図４の口径変換具（１Ｄ）は、茶碗や盃を伏せたような形状であり、内側の内周面に花瓶（３）の口縁部（６）にて係止する、係止部（８）が設けてあります。  その上部の細くなった首の部分から折り返して上が広がっていますが、これは、花立てした時、花への水遣りをし易くするためです。
【００１５】
係止部（８）が無い場合でも、前記口径変換具は上方が狭まる形状なので、やや不安定ながら、係止機能が働きます。  該図では、平面図的外形が円形ですが、四角形や多角形もあり得ます。  網状の素材での製作は、軽量化がはかれます。  民家の屋根の形状などに似せることで、ただ花瓶に設置しておくだけでも趣きがあります。
【００１６】
図５の口径変換具（１Ｅ）は、ラグビーボールのような形状です。  前記ボールの長軸の方向に対して垂直に、貫通孔２つを設けて挿花孔（２ａ、２ｂ）とし、前記挿花孔に花束を挿通して、そのまま上広がりの花瓶（３）にいれます。  前記口径変換具は、水の中で沈むにつれて前記口径変換具自体が傾くので、前記挿花孔も傾き、花束の太さに応じた位置で自動的に止まるので、いわば口径の自動調節機能があります。
【００１７】
前記ラグビーボールの長軸方向での断面は略楕円形になりますが、水に沈んでいく時は長軸方向に沈むので、上広がりの花瓶の内周の口径と短軸の長さが一致するまで沈むことができますが、これが円形の場合は、長軸、短軸がないので、円の直径に対する沈下率ともいうべき効率が悪くなります。  したがって、前記ラグビーボールを長軸方向で切断した２つの形状物のそれぞれが、前記ラグビーボールと同等の機能をもちます。
【００１８】
図６の口径変換具（１Ｆ）は、コイル状バネ体（９）が挿花孔（２）を形成しています。  前記コイル状バネ体は、弾性素材なので輪が大きくなる方向で端部（１０）、（１０）が広がり伸縮できます。  支持棒（１１）の植物の葉にデザインされた下側は、凹凸部の波型の形成になっていますが、これは、前記支持棒が花瓶（３）の口縁部に接して支持される時の滑り止めです。
【００１９】
前記支持棒は、図では前記コイル状バネ体の２か所に取付けられていますが、３か所以上に増やすことができます。  前記コイル状バネ体は、円形のリング状ばかりでなく、四角など多角形の形状もあり得ます。
【００２０】
図７の口径変換具（１Ｇ）は、リング状の環状調節体（１２）が挿花孔（２）を形成しています。  前記環状調節体は、前記リング状の両端付近に、突起（１３）と孔（１４）が設けられており、  前記突起は前記孔に嵌合することにより、前記挿花孔のリングの状態を保持でき、リングを大小に変化させて、前記挿花孔の口径の変換ができます。  リングを大小させる程度の素材の柔軟さが必要です。  前記環状調節体に、花瓶口縁部で支持するための支持棒（１１）を２か所以上取付けます。
【００２１】
前記突起と孔の嵌合による係止装置は、代わりにフックとフック受け具でもよく、また、ズボンのベルトのように、ベルトを圧着して無段階に位置をずらして締めるベルト機構や、電気コードをまとめるビニールベルトのように、ベルトの一端が波形またはギザギザ形の溝で、もう一端が逆行不可にするための矢印形状であるベルトで位置をずらして締める、などのいろいろな係止装置が代わりになり得ます。
【００２２】
図８の口径変換具（１Ｈ）は、前図と同じくリング状の環状調節体（１２）が挿花孔（２）を形成しています。  前記環状調節体のリングの周辺に沿って、造花（１５）を多数取付けて、いわば花のリース状にします。  前記口径変換具を花瓶（３）の口縁部（６）の上に置けば、前記造花の枝・葉・花などが、前記口縁部に接して滑り止めとなり、前図の支持棒（１１）と同じ機能を果たします。
【００２３】
前記造花の代わりに、鶴が羽を広げた形を多数取付けてもよく、また、有刺鉄線状のものを張り巡らした造形物もありで、動植物や自然物をデザインしたいろいろな造形物が代わりとなり得ます。
【００２４】
図９の口径変換具（１Ｊ）は、挿花リング（１６）が挿花孔（２）を形成しています。  前記挿花リングに取り付けた支持棒（１７）は、断面が楕円形であり、前記支持棒を平らな口縁部（６）の上の置けば、縦に長い楕円形であるので倒れて傾いていき、横に長い楕円形となって安定し、前記挿花リングすなわち前記挿花孔も横に向いた状態で安定します。  前記挿花孔に花束を挿通して前記花瓶に入れた時、前記挿花リングが倒れて傾き、花束の太さに応じた位置で傾きは止まり、自動的に前記挿花孔の口径の変換がなされます。
【００２５】
前記挿花リングは、円形のみならず四角形や多角形がありえます。
【００２６】
図１０の口径変換具（１Ｋ）は、１８ａ、１８ｂ、１８ｃの３つの口径変換具から構成されています。  それぞれの口径変換具は独立させることができますが、それぞれの口径変換具が、それよりひとつ上の口径変換具の挿花孔に嵌合する関係にあり、嵌合によって組み合わされてひとつの口径変換具として機能します。
【００２７】
前記口径変換具は、材質などにより、花瓶の口縁部上、又は、花瓶の水に浮かべての使用ができます。  平面図的形状が該図の円形のもの以外、四角形やその他の多角形の形状があり得ます。
【００２８】
図１１から図１４の口径変換具は、花瓶の蓋形状の蓋体の口径変換具で、花瓶（３）の口部の形状（円形、四角など）及び口径が、前記蓋体の形状及び口径と、適合関係であることが前提になっています。
【００２９】
図１１の口径変換具（１Ｌ）は、花瓶（３）の蓋である蓋体（１９）に花束を挿通する挿花孔（２）を設けたものです。  前記蓋体の裏側周端部（２０ａ）と、前記花瓶の口縁部（２０ｂ）を係合すれば（蓋を閉めれば）、前記花瓶の口径より小さい口径である、前記挿花孔の口径（２）に口径変換できます。
【００３０】
前記口径変換具を使用しない時は、前記口径変換具を卓上などに置き、前記口径変換具の上側にあるテーパ部分（２０ｄ）に、前記花瓶の底部外周部（２０ｃ）と係合させることができるので、前記花瓶を前記口径変換具の上に安定的に置くことができ、花瓶の固定台として使用できます。  また、前記テーパ部分（２０ｄ）の皿状の構成は、植物への水遣りの時、外へこぼれない効果があります。
【００３１】
図１２の口径変換具（１Ｍ）の蓋体（１９）の裏側（下側）の周囲端（２０ａ）と、花瓶（３）の口縁部（２０ｂ）を係合する（蓋を閉める）ことにより、前記花瓶の口径より小さい口径である、挿花孔（２）の口径に口径変換できます。
【００３２】
前記口径変換具を使用しない時は、前記口径変換具を裏返して卓上などに置き、前記口径変換具の裏側の凹部分（２０ｄ）に、前記花瓶の底部外周部（２０ｃ）と係合させることができるので、前記花瓶を前記口径変換具の上に安定的に置くことができ、花瓶の固定台として使用できます。
【００３３】
口径変換具（１Ｍ２）は、前記裏側の凹部分（２０ｄ）を、表側に形成したもので、前記裏返すことなく、前記花瓶の固定台として使用できます。  また、前記裏側の凹部分（２０ｄ）の周辺を突起状で形成すれば、凹部分を平坦にすることができます。
【００３４】
図１３の口径変換具（１Ｎ）の蓋体（１９）の裏側（下側）にはその周囲に沿って、凸部形成（２０ａ）が設けられており、前記凸部形成は前記花瓶の内周端（２０ｂ）に嵌合する（蓋を閉める）ことにより、前記花瓶の口径より小さい口径である、挿花孔（２）の口径に口径変換できます。
【００３５】
前記口径変換具を使用しない時は、前記口径変換具を裏返して卓上などに置き、前記口径変換具の裏側の凸部形成の内側（２０ｄ）に、前記花瓶の底部外周部（２０ｃ）と係合させることができるので、前記花瓶を前記口径変換具の上に安定的に置くことができ、花瓶の固定台として使用できます。
【００３６】
図１４の口径変換具（１Ｐ）の蓋体（１９）の裏側（下側）の内周端部（２０ａ）と、花瓶（３）の口縁部（２０ｂ）が係合する（蓋を閉める）ことにより、前記花瓶の口径より小さい口径である、挿花孔（２）の口径に口径変換できます。
【００３７】
前記口径変換具を使用しない時は、前記口径変換具を裏返して卓上などに置き、前記口径変換具の挿花孔（２）の周辺部に沿って形成した凸部分（２０ｄ）と、前記花瓶の底部分の凹み（２０c）に係合すれば、前記花瓶を前記口径変換具の上に安定的に置くことができ、花瓶の固定台として使用できます。
【００３８】
口径変換具（１Ｐ２）は、前記挿花孔の周辺部に沿って形成する凸部分（２０ｄ）を、前記蓋体の表側に形成したもので、前記裏返すことなく、前記花瓶の固定台として使用できます。
【００３９】
図１５の口径変換具（１Ｑ）は、皿状の蓋体（１９）の裏側周端部（２０ａ）と、花瓶（３）の口縁部（２０ｂ）を係合して（蓋を閉めて）使用します。  花束を挿通する挿花孔（２）の上部に、ボルト締めに使用されるワッシャーのような、ワッシャー形状口径変換具（２１）が置かれていますが、  前記ワッシャー形状口径変換具は、口径変換具（１Ｑ）の内周面のテーパ部分に段部を設け、前記段部に着脱自在に設置されます。  前記ワッシャー形状口径変換具は、口径変換具（１Ｑ）で形成された前記挿花孔の口径よりさらに小さい口径（２’）を提供します。
【００４０】
前記ワッシャー形状口径変換具は、その外形が円形だけでなく、楕円形や四角等もあり得ますし、平らなばかりでなく、皿形状や内周端、外周端が立ち上がり形状をもつ形状もあり得ます。平らや皿形状のものは、口径の異なる複数個を重ねて使用することもできます。  前記ワッシャー形状口径変換具は、ほかの口径変換具においても、段部の形成で設置できるため、構成が簡単にできます。
【００４１】
花瓶底部の凹み（２０Ｃ）は、口径変換具（１Ｑ）の内周面に設けた突起（２０ｄ）と係合して、前記花瓶の倒れ防止機能があります。  前記突起は内周面の相対する２か所に設けられます。
【符号の説明】
【００４２】
１  口径変換具
２  挿花孔
２ａ〜２ｃ  挿花孔
３  花瓶
４  一輪の花
５  丸棒
６  口縁部
８  係止部
９  コイル状バネ体
１０  端部
１１  支持体
１２  環状調節体
１３  突起
１４  孔
１５  造花
１６  挿花リング
１７  支持棒
１８ａ〜１８Ｃ  口径変換具
１９  蓋体
２０ａ〜２０ｂ  係合部
２１  ワッシャー形状口径変換具
【図１】
2017055918.tif 000003
【図２】
2017055918.tif 000004
【図３】
2017055918.tif 000005
【図４】
2017055918.tif 000006
【図５】
2017055918.tif 000007
【図６】
2017055918.tif 000008
【図７】
2017055918.tif 000009
【図８】
2017055918.tif 000010
【図９】
2017055918.tif 000011
【図１０】
2017055918.tif 000012
【図１１】
2017055918.tif 000013
【図１２】
2017055918.tif 000014
【図１３】
2017055918.tif 000015
【図１４】
2017055918.tif 000016
【図１５】
2017055918.tif 000017